(57)【特許請求の範囲】
【請求項１】
ソールと足を固定するベルトとを備えたサンダルであって、
足裏が当接するソール表面には、他の部分よりも隆起している足指付根当接部が設けられており、
前記足指付根当接部では、親指付根当接領域よりも、人差指、中指および薬指の３指の付根が当接する３指付根当接領域が高くなっており、
足指付根当接部のつま先側は、足指を折り曲げて踵方向へ押し込むことができるようにソール先端よりも踵側に後退していることを特徴とするサンダル。
【請求項２】
前記足指付根当接部と、足指を折り曲げて踵方向へ押し込むときに足指が当接する領域が、前記ソールの他の領域よりも柔らかい材料で構成されている、請求項１に記載のサンダル。
【請求項３】
前記足指付根当接部のつま先側では、折り曲げた親指を収容するための切り欠きが、折り曲げた他の指を収容するための切り欠きよりも踵側へ大きく抉れている、請求項１または２に記載のサンダル。
【請求項４】
前記足指付根当接部が、当接第１層の上に前記当接第１層よりも小さい当接第２層を積層した構造を有しており、前記当接第１層の露出表面に親指付根が当接し、前記当接第２層の表面に前記３指の付根が当接する、請求項１〜３のいずれか１項に記載のサンダル。
【請求項５】
前記ソールの接地側がベース層で構成されており、前記ベース層の上には踵側に踵側被覆層が形成され、つま先側につま先側被覆層が形成されており、さらに前記つま先側被覆層と前記踵側被覆層のつま先側領域上には、前記足指付根当接部が形成されている、請求項１〜４のいずれか１項に記載のサンダル。
【請求項６】
前記足指付根当接部のつま先側では、前記ベース層の表面が露出している、請求項５に記載のサンダル。
【請求項７】
前記踵側被覆層が２層の積層構造を有する、請求項５または６に記載のサンダル。
【請求項８】
前記ベース層および前記踵側被覆層が硬質材料で形成されており、前記足指付根当接部および前記つま先側被覆層が前記硬質材料よりも柔らかい材料で形成されている、請求項５〜７のいずれか１項に記載のサンダル。
【請求項９】
前記ソールに、足指付根部甲を位置決めする前側ベルトと、足首を位置決めする後側ベルトが固定されている、請求項１〜８のいずれか１項に記載のサンダル。
【請求項１０】
前記後側ベルトの両端が前記ソールの左右側面にそれぞれ固定されていて、前記ソール底面に対する前記ベルトの立ち上がり角度が４０〜６０°の範囲内にある、請求項９に記載のサンダル。
【請求項１１】
底部、内側側壁部および外側側壁部からなっていて、前記外側側壁部との境界における前記底部の厚さが前記内側側壁部との境界における前記底部の厚さよりも大きい補助具が、前記サンダルのつま先と踵の中間点よりもつま先側に前記ソールの接地面が前記補助具の底部上面に接するように嵌着されている、請求項１〜１０のいずれか１項に記載のサンダル。
【請求項１２】
底部、内側側壁部および外側側壁部からなっていて、前記外側側壁部との境界における前記底部の厚さが、前記内側側壁部との境界における前記底部の厚さよりも大きい、履物に嵌着するための補助具。
【発明の詳細な説明】
【技術分野】
【０００１】
本発明は、足指把持力の向上を図ることができるサンダルとその補助具に関する。
【背景技術】
【０００２】
足指を踵側に折り曲げる足指把持機能は、足底と地面との摩擦を高めるとともに身体の支持性を向上させる作用を有することから、平衡機能に重要な役割を果たし、高齢者の転倒にも影響を及ぼすとされている。そのため、健康で質の高い生活を実現し、より高い運動能力を獲得するためには、足指の把持力の向上を図る訓練を日常的に行うことが重要になる。
【０００３】
足指の把持力を向上させる訓練法として、従来、タオル等を足指で把持したり引き寄せたりする方法が知られている。また、足指把持力の向上を図る器具としては、足指を用いてローラーを回転させる足指運動訓練機器（特許文献１参照）や、基台の上に足指把持部を設けた足指把持筋力訓練機（特許文献２参照）も知られている。
【先行技術文献】
【特許文献】
【０００４】
【特許文献１】特開２０００−２１０３９３号公報
【特許文献２】特開２００８−６８０５２号公報
【発明の概要】
【発明が解決しようとする課題】
【０００５】
しかしながら、これらの訓練器具は、足指把持力の向上を図ることのみを目的としたものであり、訓練のための時間を特別に設けて、一定時間、それのみに専念して訓練を行わなければならない。そのため、従来の足指把持力の向上を図る訓練器具は手軽さに欠け、訓練を日常的に行うことが難しいという問題があった。
【０００６】
そこで本発明者らは、このような従来技術の課題を解決するために、日常生活の中で足指把持力の向上も図れる履物を開発することを目的として鋭意検討を進めた。
【課題を解決するための手段】
【０００７】
上記の課題を解決するために鋭意検討を行った結果、本発明者らは、サンダルのソール表面に、特定の形状を有する隆起部を設け、その隆起部に足指の付根を当接させて足指を折り曲げたり伸ばしたりする動作を行うことにより、日常生活の中で手軽に、足指把持力の向上を図れることを見出した。本発明は、こうした知見に基づいて提案されたものであり、具体的に以下の構成を有する。
【０００８】
［１］  ソールと足を固定するベルトとを備えたサンダルであって、
足裏が当接するソール表面には、他の部分よりも隆起している足指付根当接部が設けられており、
前記足指付根当接部では、親指付根当接領域よりも、人差指、中指および薬指の３指の付根が当接する３指付根当接領域が高くなっており、
足指付根当接部のつま先側は、足指を折り曲げて踵方向へ押し込むことができるようにソール先端よりも踵側に後退していることを特徴とするサンダル。
［２］  前記足指付根当接部と、足指を折り曲げて踵方向へ押し込むときに足指が当接する領域が、前記ソールの他の領域よりも柔らかい材料で構成されている、［１］に記載のサンダル。
［３］  前記足指付根当接部のつま先側では、折り曲げた親指を収容するための切り欠きが、折り曲げた他の指を収容するための切り欠きよりも踵側へ大きく抉れている、［１］または［２］に記載のサンダル。
［４］  前記足指付根当接部が、当接第１層の上に前記当接第１層よりも小さい当接第２層を積層した構造を有しており、前記当接第１層の露出表面に親指付根が当接し、前記当接第２層の表面に前記３指の付根が当接する、［１］〜［３］のいずれか１項に記載のサンダル。
［５］  前記ソールの接地側がベース層で構成されており、前記ベース層の上には踵側に踵側被覆層が形成され、つま先側につま先側被覆層が形成されており、さらに前記つま先側被覆層と前記踵側被覆層のつま先側領域上には、前記足指付根当接部が形成されている、［１］〜［４］のいずれか１項に記載のサンダル。
［６］  前記足指付根当接部のつま先側では、前記ベース層の表面が露出している、［５］に記載のサンダル。
［７］  前記踵側被覆層が２層の積層構造を有する、［５］または［６］に記載のサンダル。
［８］  前記ベース層および前記踵側被覆層が硬質材料で形成されており、前記足指付根当接部および前記つま先側被覆層が前記硬質材料よりも柔らかい材料で形成されている、［５］〜［７］のいずれか１項に記載のサンダル。
［９］  前記ソールに、足指付根部甲を位置決めする前側ベルトと、足首を位置決めする後側ベルトが固定されている、［１］〜［８］のいずれか１項に記載のサンダル。
［１０］  前記後側ベルトの両端が前記ソールの左右側面にそれぞれ固定されていて、前記ソール底面に対する前記ベルトの立ち上がり角度が４０〜６０°の範囲内にある、［９］に記載のサンダル。
［１１］  底部、内側側壁部および外側側壁部からなっていて、前記外側側壁部との境界における前記底部の厚さが前記内側側壁部との境界における前記底部の厚さよりも大きい補助具が、前記サンダルのつま先と踵の中間点よりもつま先側に前記ソールの接地面が前記補助具の底部上面に接するように嵌着されている、［１］〜［１０］のいずれか１項に記載のサンダル。
［１２］  底部、内側側壁部および外側側壁部からなっていて、前記外側側壁部との境界における前記底部の厚さが、前記内側側壁部との境界における前記底部の厚さよりも大きい、履物に嵌着するための補助具。
【発明の効果】
【０００９】
本発明のサンダルによれば、日常生活の中で足指把持力の向上を効果的に図ることができる。
【図面の簡単な説明】
【００１０】
【図１】本発明のサンダルの第１実施形態を示す平面図である。
【図２】図１に示すサンダルの左側面からみた斜視図である。
【図３】図１に示すサンダルのうち左足用サンダルのソールを示す平面図である。
【図４】図１に示すサンダルのうち左足用サンダルのソールを示す左側面からみた斜視図である。
【図５】足裏の各部を説明するための模式図である。
【図６】図１に示すサンダルを履いて足指を折り曲げた様子（足指付根当接部を足指で把持した様子）を示す図であり、（ａ）は左側面からみた斜視図、（ｂ）は正面からみた斜視図である。
【図７】図１に示すサンダルを履いて足指を伸ばした様子を示す図であり、（ａ）は左側面からみた斜視図、（ｂ）は正面からみた斜視図である。
【図８】本発明の補助具の一実施形態を示す平面図である。
【図９】サンダルに補助具を嵌着した図である。（ａ）は正面から見た斜視図であり、（ｂ）は左側面から見た斜視図である。
【図１０】握力計を当接した足指握力計測ボードを示す斜視図である。
【発明を実施するための形態】
【００１１】
以下において、本発明について詳細に説明する。以下に記載する構成要件の説明は、代表的な実施形態や具体例に基づいてなされることがあるが、本発明はそのような実施形態に限定されるものではない。なお、本明細書において「〜」を用いて表される数値範囲は「〜」前後に記載される数値を下限値及び上限値として含む範囲を意味する。
【００１２】
本発明のサンダルは、ソールと足を固定するベルトとを備えたサンダルであって、足裏が当接するソール表面には、他の部分よりも隆起している足指付根当接部が設けられており、足指付根当接部では、親指付根当接領域よりも、人差指、中指および薬指の３指の付根が当接する３指付根当接領域が高くなっており、足指付根当接部のつま先側は、足指を折り曲げて踵方向へ押し込むことができるようにソール先端よりも後退していることを特徴とするものである。
本発明のサンダルは、上記のような足指付根当接部がソール表面に設けられているため、このサンダルを履くと足指付根当接部に足指の付根が当接し、この状態で足指を折り曲げて踵方向へ押し込むことにより、足指が自然と足指付根当接部を把持した形になる。こうした足指の折り曲げ動作と足指を伸ばす訓練を繰り返し行うことにより、足指把持力の向上を効果的に図ることができる。また、本発明のサンダルは履物であるため、これを履いたまま歩行することができ、また、他の作業を行うこともできる。さらに、歩行中や他の作業中も足指の折り曲げ動作と足指を伸ばす訓練を並行して行うことが可能で、また、仮に歩行中や他の作業中に訓練を中断していたとしても、特別な準備を行うことなく、直ぐに訓練を再開することができる。そのため、本発明によれば、日常生活の中で手軽に足指把持力の向上を図ることができる。
以下において、本発明のサンダルの具体的な実施形態について説明する。
【００１３】
＜第１実施形態＞
本発明のサンダルの第１実施形態を、図１〜５を参照しながら説明する。図１は第１実施形態のサンダルを示す平面図、図２は図１に示すサンダルの左側面からみた斜視図、図３は左足用サンダルのソールを示す平面図、図４は左足用サンダルのソールを示す左側面からみた斜視図、図５は足裏の各部を説明するための模式図である。
図５に示すように、ヒトの足裏は、足指、足指の付根、中足部および踵に区分けされる。以下の説明では、サンダルを履いた状態で、これら各部に対応するソールの各領域を、それぞれ「足指領域」、「足指付根領域」、「中足部領域」および「踵領域」といい、中足部領域と踵領域を合わせた領域を「中足部踵領域」という。また、サンダルの地面と接する側（接地側）を「下側」、その反対側を「上側」、つま先側を「前側」または「先側」、「踵側」を「後側」とし、下側の面を「裏面」、上側の面を「表面」として説明する。
【００１４】
図１に示すように、第１実施形態のサンダル１は、左右対称の左足用サンダル１Ｌと右足用サンダル１Ｒからなり、各サンダル１Ｌ、１Ｒが、それぞれソール２とベルト３を有して構成されている。なお、以下の説明では、左足用サンダル１Ｌのみを図示して説明することがあるが、右足用サンダル１Ｒは、左足用サンダル１Ｌと平面形状の左右が反転していること以外は、同様の部材で構成されていることとする。
【００１５】
図４に示すように、ソール２は、接地側から順に、ベース層２１、被覆層２２および足指付根当接部２３を有しており、各部の界面同士が接合されて一体化されている。界面同士の接合方法は特に限定されないが、例えば、接着剤による接着を用いることができる。接着剤は、溶剤系接着剤、ホットメルト型接着剤、化学反応型接着剤、電子線硬化型接着剤等のいずれであってもよい。
【００１６】
ベース層２１は靴底を構成するものであり、図３に示すように平面視で概略足形をなした板状に形成されている。ベース層２１の平面形状は、サンダルの靴底として通常使用されている形状を採用することができ、その接地側の面には、滑り止めのための溝や凹凸が設けられていてもよい。
ベース層２１は、地面との摩擦による摩耗等を防ぐ点から、硬質材料で形成されていることが好ましい。本明細書中における「硬質材料」は、足指付根当接部を構成する材料よりも硬い材料を意味する。硬質材料の具体例として、ＥＶＡ樹脂（エチレン−酢酸ビニル共重合体）等の樹脂が挙げられる。これらの硬質材料は、それぞれ単独で用いてもよいし、２種類以上を混合して用いてもよい。
ベース層２１の厚さは、例えば５〜３０ｍｍの範囲から選択することができ、６〜２０ｍｍの範囲から選択することが好ましく、７〜１５ｍｍの範囲から選択することがより好ましい。ベース層が薄すぎると強度が不足し、厚すぎると歩きにくく、使用条件によっては転倒を起こすおそれがある。
ベース層２１の縦方向および横方向の長さは、使用者の足の寸法に応じて適宜選択することができ、使用者の足の寸法よりも一回り大きいことが好ましい。具体的には、使用者の足裏の大きさよりも、縦方向で１〜５ｃｍ程度長く、横方向で１〜３ｃｍ程度長いことが好ましい。例えば、ベース層２１の縦方向の長さは、２０〜３５ｃｍの範囲から選択してもよく、ベース層２１の横方向の長さは、７〜１５ｃｍの範囲から選択してもよい。ここで、足裏、ソール２およびソール２を構成する各部２１、２２、２３の縦方向の長さとは、ベース層２１の長軸方向（図４中のＸ方向）での最大長さのことをいい、横方向の長さまたは幅とは、ベース層２１の長軸方向と直交する方向での最大長さのことをいう。
【００１７】
被覆層２２は、つま先側に配置されたつま先側被覆層２２ａと踵側に配置された踵側被覆層２２ｂが接合一体化されて構成されており、ベース層２１の表面に接合されている。被覆層２２は、つま先側被覆層２２ａの先端面がベース層２１の先端面よりも踵側に後退していることを除いて、全体としてベース層２１と略同じ平面形状および幅で形成されている。言い換えれば、ベース層２１の表面は、先端付近の領域が被覆層２２から露出した露出面になっており、それよりも後方側が被覆層２２で全面的に覆われた状態になっている。なお、ベース層２１の少なくとも露出面には、滑り止めのためのベース表面層２１ａが形成されていてもよい。ベース表面層２１ａは、ベース層２１に用いる硬質材料よりも柔らかい軟質材料で形成することが好ましい。ベース表面層２１ａに用いうる軟質材料の説明と好ましい範囲、具体例については、後述の足指付根当接部２３に用いうる軟質材料についての記載を参照することができる。ベース表面層２１ａの厚さは、例えば１〜４ｍｍの範囲から選択することができる。
【００１８】
つま先側被覆層２２ａは、平面視で、後述する足指付根当接部２３の当接第１層２３ａよりも縦方向（図４中のＸ方向）の長さが短く、且つ、当接第１層２３ａと略同じ先端面形状と幅を有する板状に形成されており、その先端面が当接第１層２３ａの先端面と略面一となり、その左右の端面が当接第１層２３ａの左右の端面およびベース層２１の左右の端面と略面一となるように、ベース層２１と足指付根当接部２３の間に配されている。
つま先側被覆層２２ａは、足指付根当接部２３の高さを稼ぐ基台となるものである。つま先側被覆層２２ａは、ベース層２１に用いる硬質材料よりも柔らかい軟質材料で形成されていることが好ましい。これにより、足指の回動動作（足指の曲げ伸ばし動作）に伴って足指付根から下向きにかかる力が分散され、足指をスムーズに回動させることができる。また、サンダルを履いたままスムーズに歩行することも可能になる。つま先側被覆層２２ａに用いうる軟質材料の説明と好ましい範囲、具体例については、足指付根当接部２３に用いうる軟質材料についての記載を参照することができる。
つま先側被覆層２２ａの厚さは、例えば１０〜４０ｍｍの範囲から選択することができ、１２〜３５ｍｍの範囲から選択することが好ましく、１５〜３０ｍｍの範囲から選択することがより好ましい。
【００１９】
踵側被覆層２２ｂは、平面視で、ベース層２１の中足部踵領域と略同じ平面形状および大きさを有する板状に形成され、その左右の端面および後端面が、ベース層２１の左右の端面および後端面と略面一となるように、ベース層２１の上に積層されている。踵側被覆層２２ｂは、使用者がサンダルを履いた状態で、その表面に足裏の中足部および踵が接する中足部踵接触面となる。また、第１実施形態のサンダルでは、踵側被覆層２２ｂが、平面視で略同一の平面形状および大きさを有する２層（踵側第１層２２ｃ、踵側第２層２２ｄ）が接合一体化されて構成されており、踵側第１層２２ｃの裏面がベース層２１の表面に接合され、踵側第２層２２ｄの表面が中足部踵接触面になっている。踵側被覆層２２ｂが２層構成であることにより、単層構成よりも中足部踵接触面の高さが高くなり、結果として、後述する当接第２層表面（３指付根当接領域）とベース層表面との高さ差を稼ぐことができる。これにより、足の大きさが大きい場合でも、ベース層２１に足指が当たることなく、足指をスムーズに回動させることができる。
踵側被覆層２２ｂ（踵側第１層２２ｃおよび踵側第２層２２ｄ）は、硬質材料で形成されていることが好ましい。これにより、足指を踵側に折り曲げて足指付根当接部２３を把持したとき、足指付根当接部２３に対する踵の相対位置がズレることが抑えられ、足指付根当接部２３を強く把持することができる。踵側被覆層２２ｂに用いうる硬質材料の説明と好ましい範囲、具体例については、上記のベース層２１に用いうる硬質材料についての記載を参照することができる。踵側第１層２２ｃと踵側第２層２２ｄは、互いに同一の材料で構成されていてもよいし、異なる材料で構成されていてもよい。また、踵側第２層２２ｄは、その表面に滑り止めのための被覆表面層２２ｅを有していてもよい。すなわち、踵側第２層２２ｄは、硬質材料からなる硬質層と、該硬質層の上に設けられた被覆表面層２２ｅとで構成されていてもよい。被覆表面層２２ｅは柔らかい軟質材料で形成することが好ましい。被覆表面層に用いうる軟質材料の説明と好ましい範囲、具体例については、後述の足指付根当接部２３に用いうる軟質材料についての記載を参照することができる。
【００２０】
踵側第１層２２ｃおよび踵側第２層２２ｄの厚さは、例えば５〜３０ｍｍの範囲から選択することができる。踵側第１層２２ｃと踵側第２層２２ｄの各厚さは、互いに同じであっても異なっていてもよいが、踵側第１層２２ｃの厚さが、踵側第２層２２ｄの厚さよりも厚いことが好ましい。具体的には、踵側第１層２２ｃの厚さは、５〜３０ｍｍの範囲から選択してもよく、７〜２５ｍｍの範囲から選択することが好ましく、１０〜２０ｍｍの範囲から選択することがより好ましい。また、踵側第２層２２ｄの厚さは、５〜２４ｍｍの範囲から選択してもよく、５〜２０ｍｍの範囲から選択することが好ましく、５〜１５ｍｍの範囲から選択することがより好ましい。踵側第２層２２ｄが表面層を有する場合、その表面層の厚さは、例えば１〜４ｍｍの範囲から選択することができる。また、踵側第１層２２ｃと踵側第２層２２ｄの合計厚は、１０〜４０ｍｍであってもよく、１２〜３５ｍｍであることが好ましく、１５〜３０ｍｍであることがより好ましい。
上記のつま先側被覆層２２ａの厚さと、踵側被覆層２２ｂの厚さ（踵側第１層２２ｃと踵側第２層２２ｄの合計厚）は互いに同一であっても異なっていてもよいが、段差のない被覆層表面が得られることから略同一であることが好ましい。
【００２１】
足指付根当接部２３は、被覆層２２のつま先側の直上に積層された当接第１層２３ａと、当接第１層２３ａの上に積層された当接第２層２３ｂが接合一体化されて構成されており、全体として、被覆層２２の表面よりも隆起した形状になっている。このように、本発明のサンダルは、つま先側に隆起した形状を有することにより、足裏の土踏まず（縦アーチ）の形状に関わらず、足指で把持した形を容易に取ることができる。
【００２２】
当接第１層２３ａは、具体的にはつま先側被覆層２２ａの表面および踵側第２層２２ｄのつま先側部分の表面に亘る箇所に接合されている。図３に示すように、当接第１層２３ａは、ベース層２１およびつま先側被覆層２２ａの左右の側面と面一な左右の側面と、ベース層２１の先端面２１ｆよりも踵側に後退した先端面２３ｆと、足指付根領域と中足部領域の境界線に沿った後端面２３ｅを有する板状に形成されている。当接第１層２３ａの先端面２３ｆは、先端側に張り出した概略円弧状の曲面と、該曲面から親指先端に対応する箇所を切り取って形成した切り欠き面２３ｄからなっている。この切り欠き面２３ｄは、概略円弧状の曲面よりも踵側へ大きく抉れた形状になっている。
当接第１層２３ａの厚さは、例えば５〜２０ｍｍの範囲から選択することができ、６〜１８ｍｍの範囲から選択することが好ましく、７〜１５ｍｍの範囲から選択することがより好ましい。
【００２３】
当接第２層２３ｂは、当接第１層２３ａの表面に接合されている。当接第２層２３ｂは、当接第１層２３ａの左側面よりも右側に後退した左側面と、当接第１層２３ａの右側面よりも左側に後退した右側面と、当接第１層２３ａの先端面２３ｆと面一な先端面と、当接第１層２３ａの後端面２３ｅよりもつま先側に後退した後端面を有しており、全体として当接第１層２３ａよりも縦横の長さが小さい板状に形成されている。
当接第２層２３ｂの厚さは、例えば５〜２０ｍｍの範囲から選択することができ、６〜１８ｍｍの範囲から選択することが好ましく、７〜１５ｍｍの範囲から選択することがより好ましい。
【００２４】
当接第１層２３ａと当接第２層２３ｂの合計厚は、１０〜４０ｍｍであってもよく、１２〜３５ｍｍであることが好ましく、１５〜３０ｍｍであることがより好ましく、１５〜２５ｍｍであることがさらに好ましい。当接第１層２３ａと当接第２層２３ｂの合計厚に対する当接第２層２３ｂの厚さの割合［（当接第２層の厚さ／合計厚）×１００（％）］は、２０〜８０％であってもよく、３０〜７０％であることが好ましく、４０〜６０％であることがより好ましい。
ベース層表面と当接第２層表面との高さ差（つま先側被覆層２２ａと当接第１層２３ａと当接第２層２３ｂの合計厚）は、２０〜７０ｍｍであってもよく、３０〜６０ｍｍであることが好ましく、３５〜５５ｍｍであることがより好ましい。
【００２５】
こうした当接第１層２３ａと当接第２層２３ｂからなる足指付根当接部２３では、当接第２層２３ｂの左側面が、当接第１層２３ａの左側面よりも右側に後退しており、当接第２層２３ｂの右側面が当接第１層２３ａの右側面よりも左側に後退していることにより、当接第２層２３ｂの左右にスペースが形成される。そのため、足指付根当接部２３に足指の付根を当接させたとき、左足用サンダル１Ｌでは、当接第２層２３ｂの表面に人差指、中指および薬指の３指の付根が当接し、小指の付根は当接第２層２３ｂの左側のスペースに収容されて３指の付根よりも低い位置になる。また、親指の付根は当接第２層２３ｂの右側のスペースに収容されて、当接第２層２３ｂから露出した当接第１層２３ａの表面に当接する。一方、右足用サンダル１Ｒでは、当接第２層２３ｂの表面に人差指、中指および薬指の３指の付根が当接し、小指の付根は当接第２層２３ｂの右側のスペースに収容されて３指の付根よりも低い位置になる。また、親指の付根は当接第２層２３ｂの左側のスペースに収容されて、当接第２層２３ｂから露出した当接第１層２３ａの表面に当接する。
このように、本実施形態のサンダルでは、上記のような形状と大きさで当接第２層２３ｂが形成されていることにより、当接第２層２３ｂの表面が、人差指、中指および薬指の３指の付根が当接する３指付根当接領域として機能する。また、左足用サンダル１Ｌでは、当接第２層２３ｂの右側で露出する当接第１層２３ａの表面が親指付根当接領域として機能し、右足用サンダル１Ｒでは、当接第２層２３ｂの左側で露出する当接第１層２３ａの表面が親指付根当接領域として機能する。これにより、足指付根当接部２３に足指の付根を当接させたとき、足裏の横アーチと整合した形をとることができ、足指で足指付根当接部２３をしっかり把持することができる。
また、当接第１層２３ａと当接第２層２３ｂの先端面がベース層２１の先端面２１ｆよりも後退していることにより、当接第１層２３ａと当接第２層２３ｂの前方にスペースが形成される。そのため、足指付根当接部２３に足指の付根を当接させて足指の回動動作（曲げ伸ばし）を行ったとき、足指付根当接部２３以外の何処かに足指先端が当たることなく、足指をスムーズに回動させることができる。特に、切り欠き面２３ｄが形成されているため、この切り欠き面２３ｄで形成された空間に親指が丁度よく収容され、３指とともに親指もスムーズに回動させることができる。これにより、足指把持機能を効率よく鍛えることができる。
また、さらに、当接第２層２３ｂの後端面が、当接第１層２３ａの後端面２３ｅよりもつま先側に後退していることにより、当接第１層２３ａの後側部分の表面が露出して、当接第２層２３ｂの表面よりも高さが低い段差面が形成される。これにより、足指の付根を足指付根当接部２３に当接させたときに、足指の付根の傾斜が緩くなり、足指の付根に掛かる負担を軽減することができる。
【００２６】
当接第１層２３ａの横方向の長さ（幅）の好ましい範囲については、ベース層２１の横方向の長さの好ましい範囲を参照することができる。３指付根当接領域（当接第２層２３ｂの表面）の幅Ｗ１と親指当接領域（当接第２層２３ｂの右側または左側で露出する当接第１層２３ａの露出面）の幅Ｗ２の比（Ｗ１：Ｗ２）は、１．２：１〜２．５：１であってもよく、１．４：１〜２：１であることが好ましい。３指付根当接領域（当接第２層２３ｂの表面）の幅Ｗ１と、当接第１層２３ａの親指当接領域と反対側の露出面の幅Ｗ３の比（Ｗ１：Ｗ３）は、３：１〜６：１であってもよく、３．５：１〜５：１であることが好ましい。
ベース層２１の先端面と当接第１層２３ａの先端面の最大距離ｄは、例えば１５〜４０ｍｍの範囲から選択することができ、２０〜３５ｍｍの範囲から選択することが好ましい。
また、足指付根当接部２３の先端面２３ｆと当接第２層２３ｂの表面のなす角度θ１は、図４では略９０°程度に示されているが、４５〜１２０°にしてもよく、６０〜１１０°が好ましく、７５〜１００°がより好ましい。すなわち、足指付根当接部２３の先端面２３ｆは、当接第２層２３ｂの表面と直交していてもよいし、この表面に対して鈍角または鋭角をなして傾斜していてもよい。
【００２７】
足指付根当接部２３（当接第１層２３ａおよび当接第２層２３ｂ）の材料には、ベース層２１に用いる硬質材料よりも柔らかい軟質材料を用いることが好ましく、ベース層２１に用いる硬質材料よりも柔らかい軟質材料であって、弾性を有する材料を用いることがより好ましい。当接第１層２３ａと当接第２層２３ｂ、さらにはつま先側被覆層２２ａを軟質材料で構成することにより、足指付根当接部２３に足指の付根を当接させて足指を踵側に折り曲げたとき、つま先側被覆層２２ａ、当接第１層２３ａおよび当接第２層２３ｂが足指および足指の付根の形状にある程度追従して、足指で足指付根当接部を把持した形を容易に取ることができる。さらに、つま先側被覆層２２ａ、当接第１層２３ａおよび当接第２層２３ｂを、弾性を有する軟質材料で構成することにより、足指付根当接部２３に足指の付根を当接させて足指を踵側に折り曲げたとき、これらの層が足指および足指の付根の形状にある程度追従して、足指で足指付根当接部を把持した形を容易に取ることができるとともに、足指に対して適度な反発力が掛かり、足指把持力を効果的に向上させることができる。
また、足指付根当接部２３には、４０％圧縮時変位が３〜６ｃｍである材料を用いることも好ましく、４０％圧縮時変位が３．５〜５．５ｃｍである材料を用いることもより好ましい。ここで、「４０％圧縮時変位」とは、ＪＩＳ Ｋ ６４００−２（２０１２）の規定に準じて測定される４０％圧縮時変位のことを意味する。
また、足指付根当接部２３には、荷重（Ｍ）を横軸、伸び（ｍｍ）を縦軸にそれぞれ示した関係図（荷重・変位線図）の傾きが０．７５±２０％の材料を用いることも好ましく、この傾きが０．７５±１０％の材料を用いることもより好ましく、この傾きが好ましい範囲であって、４０％圧縮変位が上記の好ましい範囲である材料を用いることがさらに好ましい。
足指付根当接部２３に用いうる材料の具体例として、ＥＶＡ樹脂とプロピレンゴムの混合物の発泡体（ＥＰスポンジ）等が挙げられる。
本発明には、第１実施形態におけるベース層２１と踵側第１層２２ｃが界面なく連続する部材として一体に形成されているものも含まれ、当接第１層２３ａと当接第２層２３ｂが界面なく連続する部材として一体に形成されているものも含まれ、つま先側被覆層２２ａと当接第１層２３ａが界面なく連続する部材として一体に形成されているものも含まれ、つま先側被覆層２２ａと当接第１層２３ａと当接第２層２３ｂが界面なく連続する部材として一体に形成されているものも含まれる。
【００２８】
ベルト３は、前側ベルト３１と後側ベルト３２からなり、それぞれソール２の側面（ソール側面）に取り付けられている。前側ベルト３１は足指付根の甲を位置決めする役割を有し、後側ベルト３２は足首を位置決めする役割を有する。
具体的には、前側ベルト３１の左側端部は、ソール側面のうち、足指付根当接部２３の左側方に位置する箇所に取り付けられ、前側ベルト３１の右側端部は、ソール側面のうち、足指付根当接部２３の右側方に位置する箇所に取り付けられており、ベルト３１を締めた状態で足指付根の甲を覆うように構成されている。また、本実施形態では、前側ベルト３１の各端部が、踵側第１層２２ｃと踵側第２層２２ｄの間に挿入され各界面に接着されることによって、ソール側面に取り付けられているが、各端部の取り付け方法はこれに限定されるものではない。
一方、後側ベルト３２は、ソール側面に取り付けられたベルト固定部３２ａと、ベルト固定部３２ａと連続するベルト部３２ｂを有している。ベルト固定部３２ａは、ソール側面のうち、踵領域の周囲となる箇所に取り付けられている。本実施形態では、ベルト固定部３２ａは、その下端部が踵側第１層２２ｃと踵側第２層２２ｄの間に挿入され各界面に接着されることによってソール側面に取り付けられているが、ベルト固定部３２ａの取り付け方法はこれに限定されるものではない。ベルト固定部３２ａは、上端縁の高さ位置が踵側被覆層２２ｂの表面よりも低くても高くてもよいが、高い場合には、上端縁が丸みをもった形状であって、その上端縁の踵側被覆層表面との高さ差が２ｃｍ以下であることが好ましく、１．５ｃｍ以下であることがより好ましい。これにより、サンダルの着脱が簡単に行えるものになる。また、ベルト部３２ｂは、ソール２の底面（接地面）に対する立ち上がり角度θ２が４０〜６０°の範囲内となるように、斜めに設けられていることが好ましい。これにより、後側ベルト３２が装着された足首が、ベルト内で前後上下にズレることが抑えられ、足指で足指付根当接部２３を把持した形を安定に保持することができる。
前側ベルト３１および後側ベルト３２の材料は特に限定されず、サンダルや靴の素材として通常用いられる天然皮革や合成皮革から適宜選択して採用することができ、ゴム等の伸縮性材料を用いてもよい。
また、本実施形態では、前側ベルト３１およびベルト部３２ｂの途中に留め具３３が取り付けられており、留め具３３の操作により、ベルト３１、３２ｂを外すことやベルト３１、３２ｂを締めることが自在にできるようになっている。留め具には、サンダルやスニーカー等で通常用いられる留め具を適宜選択して採用することができ、長さ調整機能を有するものが好ましい。長さ調整機能を有する留め具として、図１、２に示すバックルの他、面ファスナー等が挙げられる。また、ベルトは、ゴム等の伸縮性材料を用いたり、紐で締め付けたりするようにしたアジャスト型のものであってもよい。アジャスト型のベルトの場合、足の甲全体を締め付けるものであってもよいが、つま先側が開放していて足指の曲げ伸ばしが自由にできる構造になっているものが好ましい。
こうした前側ベルト３１と後側ベルト３２を有するサンダルでは、サンダルを履いて各ベルトを締めることにより、前側ベルト３１が足の甲を覆うとともに、後側ベルト３２が足首周りに装着され、踵側被覆層２２ｂの表面および足指付根当接部２３の表面が足裏の所定の箇所に当接した状態に保持される。すなわち、サンダルから足が脱げないように保持される。また、この状態から、足指を踵側に折り曲げて、足指で足指付根当接部２３を把持した形をとったとき、前側ベルト３１が足の甲の盛り上がりを抑えるように作用して、足指の付根が足指付根当接部２３から浮くことが防止される。これにより、足指で足指付根当接部２３をしっかり握ることができる。ただし、前側ベルトの取り付け位置と寸法は、ベルトを締めた状態で、親指の中足指節関節（親指の付根）よりも後側をベルト３１が覆うように設計されていることが好ましい。言い換えれば、親指の中足指節関節（親指の付根）が前側ベルト３１の前方で出るように、前側ベルト３１が設計されていることが好ましい。親指の付根は、足指で足指付根当接部２３を握ったときに大きく盛り上がるため、それをベルトで押さえ込まないことにより、足指付根当接部２３をしっかり握ることができる。
また、本実施形態のサンダルは、前側ベルト３１と後側ベルト３２の２つのベルトを有しているが、ベルトの数は２つに限らず、３つ以上であってもよい
【００２９】
次に、第１実施形態のサンダルを用いた足指把持力向上のための訓練法を、図６、７を参照しながら説明する。
訓練を行う使用者は、まず、その足指の付け根を足指付根当接部２３に載せ、足裏の中足部および踵を踵側被覆層２２ｂに載せて前側ベルト３１と後側ベルト３２を締める。これにより、足にサンダルが装着され、足指付根当接部２３に足指の付根が当接する。具体的には、当接第２層２３ｂの表面に、人差指、中指および薬指の付根が当接し、当接第２層２３ｂの側方で露出する第１層２３ａの表面に親指の付根が当接する。次に、図６（ａ）、（ｂ）に示すように、足指を踵側に折り曲げる。これにより、人差指、中指および薬指の３指が足指付根当接部２３の円弧状の先端面２３ｆに当接し、親指が切り欠き面２３ｄに当接して、足指で足指付根当接部を把持した形になる。続いて、図７（ａ）、（ｂ）に示すように、足指を思いっきり伸ばして足指の間隔を広げる動作を行う。このような足指を曲げ伸ばす訓練を繰り返し行うことにより、足指把持力の向上を効果的に図ることができる。このとき、使用者は、サンダルを履いたまま、訓練を中断して歩行してもよいし、他の作業を行ってもよい。また、歩行や作業の後に訓練を再開してもよい。このように、本発明のサンダルを用いた訓練は、サンダルを履いた状態で、訓練以外の動作や作業も行うことができるため、日常生活の中で手軽に行うことができ、継続して行い易いというメリットがある。
【００３０】
上記のような第１実施形態のサンダルの効果を評価するため、５４歳の健康な男性にて、サンダルを履いて足指把持動作を２００回／日のペースで２０日間続けて行う試験を行った。試験に用いたサンダル各部の寸法は下記の通りである。
ベース層２１：ＥＶＡ樹脂（厚さ１０ｍｍ、縦方向の長さ２６ｃｍ）
ベース表面層２１ａ：ＥＰスポンジ（厚さ２ｍｍ）
つま先側被覆層２２ａ：ＥＰスポンジ（厚さ２８ｍｍ）
踵側第１層２２ｃ：ＥＶＡ樹脂（厚さ１８ｍｍ、縦方向の長さ１９ｃｍ）
踵側第２層２２ｄ：ＥＶＡ樹脂（厚さ８ｍｍ、縦方向の長さ１９ｃｍ）
被覆表面層２２ｅ：ＥＰスポンジ（厚さ２ｍｍ、縦方向の長さ１９ｃｍ）
当接第１層２３ａ：ＥＰスポンジ（厚さ１０ｍｍ）
当接第２層２３ｂ：ＥＰスポンジ（厚さ１０ｍｍ）
前側ベルト３１：合成皮革（厚さ２ｍｍ）
後側ベルト３２：合成皮革（厚さ２ｍｍ）
接地面と被覆表面層表面の高さの差は３．８ｃｍ、被覆表面層表面と当接第２層表面の高さの差は２ｃｍ、ベース表面層表面と当接第２層表面の高さの差は４．８ｃｍである。
試験の結果、足指把持力が右足で１７．５ｋｇから１９．５ｋｇに向上し、左足で２２．０ｋｇから２４．０ｋｇに向上した。このことから、本発明のサンダルを履いて足指の曲げ伸ばしを行うことにより、足指把持力が効果的に向上することを確認することができた。
【００３１】
＜第２実施形態＞
第２実施形態のサンダルは、踵側被覆層が１層で構成されていること以外は、第１実施形態と同様に構成されている。踵側被覆層の材料および踵側被覆層以外の各部の構成については、第１実施形態の対応する記載を参照することができる。
本実施形態で用いる踵側被覆層およびつま先側被覆層の厚さの好ましい範囲については、第１実施形態で用いる踵側第２層２２ｄの厚さの好ましい範囲、または、踵側第1層２２ｃと踵側第２層２２ｄの合計厚の好ましい範囲を参照することができる。
第２実施形態によっても、第１実施形態と同様の作用効果を得ることができる。また、第２実施形態のサンダルでは特に、踵側被覆層が単層構成であることにより、サンダルの製造工程を簡略化できるという効果が得られる。
【００３２】
＜第３実施形態＞
第３実施形態のサンダルは、ベース層２１、踵側第１層２２ｃおよび踵側第２層２２ｄの代わりに、一体物として形成された単層型ソール層を有し、つま先側被覆層２２ａ、当接第１層２３ａおよび当接第２層２３ｂの代わりに、一体物として形成された単層型足指付根当接部を有すること以外は、第１実施形態と同様に構成されている。
単層型ソール層は、第１実施形態のベース層２１、踵側第１層２２ｃおよび踵側第２層２２ｄを合わせた形状と厚さを有している。単層型ソール層に用いうる材料の説明と好ましい範囲、具体例については、第１実施形態のベース層２１に用いうる硬質材料についての記載を参照することができる。
単層型ソール層の厚さは、１０〜６０ｍｍの範囲から選択してもよく、１５〜５０ｍｍの範囲から選択することが好ましく、２０〜４５ｍｍの範囲から選択することがより好ましい。
単層型足指付根当接部は、第１実施形態のつま先側被覆層２２ａ、当接第１層２３ａおよび当接第２層２３ｂを合わせた形状と厚さを有している。単層型足指付根当接部に用いうる材料の説明と好ましい範囲、具体例については、第１実施形態の足指付根当接部２３に用いうる軟質材料についての記載を参照することができる。単層型足指付根当接部の厚さの好ましい範囲については、第１実施形態のつま先側被覆層２２ａと当接第１層２３ａと当接第２層２３ｂの合計厚の好ましい範囲を参照することができる。
第３実施形態によっても、第１実施形態と同様の作用効果を得ることができる。また、第３実施形態のサンダルでは特に、一体物として形成された単層型ソール層と一体物として形成された単層型足指付根当接部でソールが構成されていることにより、サンダルの製造工程をより簡略化できるという効果が得られる。
【００３３】
＜補助具＞
本発明は、底部、内側側壁部および外側側壁部からなる、履物に嵌着するための補助具も提供する。この補助具は、外側側壁部との境界における底部の厚さが、内側側壁部との境界における底部の厚さよりも大きいことを特徴とする。この補助具は、履物のソールの接地面が補助具の底部上面に接するように嵌着する。嵌着により、補助具の内側側壁部と外側側壁部の間に履物が嵌め込まれ、履物と補助具が一体となる。
【００３４】
図８は、本発明の補助具の好ましい一態様の側面図である。底部４１の内側には内側側壁部４２が連続して形成され、底部４１の外側には外側側壁部４３が連続して形成されている。底部４１、内側側壁部４２および外側側壁部４３は、同一材料により一体成形されていることが好ましい。
図８に示すように、底部４１と外側側壁部４３の境界における底部の厚さｄ５の方が、底部４１と内側側壁部４２の境界における底部の厚さｄ４よりも大きい。これによって、補助具を履物に嵌着したときに、履物の外側を高くし、内側を低くする傾斜をつけることができる。このような底部の厚さの大小関係は、外側側壁部４３との境界から内側へ２ｃｍまでの底部領域の厚さと、内側側壁部４２との境界から外側へ２ｃｍまでの底部領域の厚さとの間にも成立していることが好ましい。さらに、底部４１の厚さは、外側側壁部４３の境界から、内側側壁部４２の境界へ向かうにしたがって減少していることが好ましく、その傾斜は一定であることがより好ましい。これによって、補助具を履物に嵌着したときに、履物の外側を高くし、内側を低くする傾斜を歩行中も安定に維持することができる。補助具の底面４１の外側から内側へ向けた傾斜の角度（底部上面を地面と平行に設置したときに底部底面と地面が形成する角度）θ３は、３°以上が好ましく、また、１５°以下が好ましい。本発明のサンダルに嵌着するための補助具であれば、θ３は４°以上がより好ましく、５°以上がさらに好ましく、また、１０°以下が好ましく、７°以下がさらに好ましい。角度を好ましい範囲に調整することにより、歩行の安定性を妨げることなく、足指の把持を行うことができる。
【００３５】
底部４１と外側側壁部４３の境界における底部の厚さｄ５は、２ｃｍ以上であることが好ましく、３ｃｍ以上であることがより好ましい。また、１０ｃｍ以下であることが好ましく、７ｃｍ以下であることがより好ましく、４ｃｍ以下であることがさらに好ましい。底部４１と内側側壁部４２の境界における底部の厚さｄ４は、１ｃｍ以上であることが好ましく、２ｃｍ以上であることがより好ましい。また、９ｃｍ以下であることが好ましく、６ｃｍ以下であることがより好ましく、３ｃｍ以下であることがさらに好ましい。底部の厚さを適切に決定することにより、履物に補助具を装着したときに、踵よりもつま先を適度に高くすることができる。
【００３６】
内側側壁部４２の内側から外側へ向かう方向の厚さと、外側側壁部４３の内側から外側へ向かう方向の厚さは、それぞれ先端部において１ｃｍ以上であることが好ましく、２ｃｍ以上であることがより好ましい。また、５ｃｍ以下であることが好ましく、３ｃｍ以下であることがより好ましい。厚さを適切に決定することにより、履物を補助具に強固に固定しつつ、脱着もしやすくすることができる。なお、本発明の補助具は履物に接着剤などで接着固定しても構わない。また、内側側壁部４２と外側側壁部４３を結ぶベルトを設けたり、紐でさらに強固に履物を固定できるようにしてもよい。
【００３７】
図８に示すように、内側側壁部４２は立ち上がりよりも先端が外側に向かって伸長しており、その先端が底部上の空間領域に入り込むように形成されていることが好ましく、また、外側側壁部４３は立ち上がりよりも先端が内側に向かって伸長しており、その先端が底部上の空間領域に入り込むように形成されていることが好ましい。このような態様を採用することにより、履物に嵌着したときに履物と補助具を強固に固定することができ、歩行時に履物から補助具を外れにくくすることができる。底部上面と内側側壁部の外側側面とが形成する角度θ４と、底部上面と外側側壁部の内側側面とが形成する角度θ５は、それぞれ８５°以下であることが好ましく、８０°以下であることがより好ましく、７５°以下であることがさらに好ましい。また、θ４とθ５は、それぞれ５５°以上であることが好ましく、６０°以上であることがより好ましく、６５°以上であることがさらに好ましい。
【００３８】
補助具の水平方向の長さ（図８の奥行き、踵方向からつま先方向へ向かう方向の長さ）は、３ｃｍ以上であることが好ましく、４ｃｍ以上であることがより好ましい。また１０ｃｍ以下であることが好ましく、７ｃｍ以下であることがより好ましい。適度な長さにすることによって、歩行時に歩きやすくするとともに、補助具を履物から外れにくくすることができる。
【００３９】
補助具の材質は、履物に嵌め込むことが可能で、嵌め込んだ後は履物から補助具が外れないように維持することができる材質であればその種類は特に制限されない。好ましい一態様では、硬度が１５以上２５以下の材料を用いることができる。これによって、履物への脱着が容易で、使用時に外れにくくすることができる。そのような材料の例として、ゴムや発泡ゴムをあげることができる。発泡ゴムとして、例えばエチレンプロピレン発泡ゴムを好ましく用いることができる。
【００４０】
本発明の補助具は、本発明のサンダル以外の履物にも適用することが可能であり、例えば、スリッパ、シューズにも適用することが可能である。
補助具を履物に嵌着するときは、図９に示すように、履物（サンダル）のつま先と踵の中間点よりもつま先側に補助具を嵌着する。これによって、足に装着して歩行する際に外側よりも内側に体重がかかりやすくなり、また踵側に体重がかかりやすくなる。その結果、骨盤を望ましい状態に保持したまま正しい姿勢で安全に歩行することができる。
【００４１】
＜足指の握力の計測＞
足指の握力は、通常用いられている握力計を用いて計測することができる。足指の握力は、図１０に示す足指握力計測ボード５を用いて握力計６を図示するようにセットすることにより容易に計測することができる。足指握力計測ボード５は、くの字状のボードであり、その内側に図示するように握力計６の端部を当接させる（図では右側の内側側面に当接させている）。そのうえで両足を足指握力計測ボード５の上に載せ、足指を握力計６の握り部にかけて足指握力計測ボード５側へ強く握ることにより足指の握力を計測することができる。図１０では、右足の足指の握力を計測できる位置に握力計６を設置しているが、右足の計測が終了したら、握力計６を足指握力計測ボード５の左側の内側側面に移動して設置し、左足の足指の握力を計測する。右足、左足の測定順序は逆にしても構わない。計測時には、計測していない方の足に体重をかけるとともに、計測する方の足の踵に体重をかけることにより、足指握力計測ボード５が動かないように保持する。このため、足指握力計測ボード５の幅は８ｃｍ以上であることが好ましく、２０ｃｍ以下であることが好ましい。足指握力計測ボード５の長さは３０〜４５ｃｍの範囲内にすることが、計測の容易性と収納の利便性を高めるために好ましい。足指握力計測ボード５の厚さは、計測時に足指で握力計６を把持しやすくするために、握力計６の厚さ±０．５ｃｍに設定することが好ましい。通常は２．５〜３．５ｃｍの範囲内の厚さにすることが望ましい。足指握力計測ボード５の材質は特に制限されないが、樹脂製であることが好ましく、例えばエチレン酢酸ビニル樹脂（ＥＶＡ樹脂）を用いることが好ましい。
【産業上の利用可能性】
【００４２】
本発明のサンダルは、簡単な構成でありながら日常生活の中で手軽に足指把持力の向上を図ることができ、また、家庭内の他、介護施設やスポーツジムなど、様々な施設で利用することができる。このため、本発明は産業上の利用可能性が高い。
【符号の説明】
【００４３】
１      サンダル
１Ｌ    左足用サンダル
１Ｒ    右足用サンダル
２      ソール
２１    ベース層
２１ａ  ベース表面層
２１ｆ  先端面
２２    被覆層
２２ａ  つま先側被覆層
２２ｂ  踵側被覆層
２２ｃ  踵側第１層
２２ｄ  踵側第２層
２２ｅ  被覆表面層
２３    足指付根当接部
２３ａ  当接第１層
２３ｂ  当接第２層
２３ｅ  後端面
２３ｆ  先端面
３      ベルト
３１    前側ベルト
３２    後側ベルト
３２ａ  ベルト固定部
３２ｂ  ベルト部
３３    留め具
４      補助具
４１    底部
４２    内側側壁部
４３    外側側壁部
５      足指握力計測ボード
６      握力計
【要約】      （修正有）【課題】日常生活の中で足指把持力向上も図れる履物を提供する。【解決手段】ソール２と足を固定するベルトとを備えたサンダルであって、足裏が当接するソール表面には、他の部分よりも隆起している足指付根当接部２３が設けられており、足指付根当接部２３では、親指付根当接領域よりも、人差指、中指および薬指の３指の付根が当接する３指付根当接領域が高くなっており、足指付根当接部２３のつま先側は、足指を折り曲げて踵方向へ押し込むことができるようにソール先端よりも踵側に後退している。【選択図】図４【図１】
0006842224.tif 000002
【図２】
0006842224.tif 000003
【図３】
0006842224.tif 000004
【図４】
0006842224.tif 000005
【図５】
0006842224.tif 000006
【図６】
0006842224.tif 000007
【図７】
0006842224.tif 000008
【図８】
0006842224.tif 000009
【図９】
0006842224.tif 000010
【図１０】
0006842224.tif 000011